(57)【特許請求の範囲】
【請求項１】
放送伝送路を通じて放送番組の映像情報を含むデジタルストリームを受信する受信手段と、
通信伝送路を通じて前記放送番組の映像の画質調整のための付加情報を取得する取得手段と、
前記映像情報と、前記付加情報と、映像表示手段の表示性能を示す情報とに基づいて、前記映像情報の復号を行うとともに、前記映像表示手段で表示される映像の画質を調整する復号手段とを備え、
前記映像情報が、映像のピクセル毎のピクセル値を含み、
前記付加情報が、ピクセル毎の加算値を表す情報と、変換特性情報とを含み、
前記変換特性情報は、前記ピクセル毎のピクセル値と前記加算値との和から、前記映像表示手段の出力輝度レベルへの変換の特性を表すものである
ことを特徴とするデジタル放送受信装置。
【請求項２】
放送伝送路を通じて放送番組の映像情報を含むデジタルストリームを受信する受信手段と、
通信伝送路を通じて前記放送番組の映像の画質調整のための付加情報を取得する取得手段と、
前記映像情報と、前記付加情報と、映像表示手段の表示性能を示す情報とに基づいて、前記映像情報の復号を行うとともに、前記映像表示手段で表示される映像の画質を調整する復号手段とを備え、
前記付加情報が、映像の輝度のダイナミックレンジを拡張するためのものである
ことを特徴とするデジタル放送受信装置。
【請求項３】
放送伝送路を通じて放送番組の映像情報を含むデジタルストリームを受信する受信手段と、
通信伝送路を通じて前記放送番組の映像の画質調整のための付加情報を取得する取得手段と、
前記映像情報と、前記付加情報と、映像表示手段の表示性能を示す情報とに基づいて、前記映像情報の復号を行うとともに、前記映像表示手段で表示される映像の画質を調整する復号手段とを備え、
前記デジタルストリームが、前記付加情報が前記通信伝送路から取得可能であるか否かを示す情報を含み、
前記デジタルストリームを解析し、前記付加情報が前記通信伝送路から取得可能であり、且つ前記付加情報を用いた画質調整が前記映像表示手段で可能であると判定した場合に前記取得手段に、前記付加情報を取得させるシステム制御手段をさらに有する
ことを特徴とするデジタル放送受信装置。
【請求項４】
放送伝送路を通じて放送番組の映像情報を含むデジタルストリームを受信する受信手段と、
通信伝送路を通じて前記放送番組の映像の画質調整のための付加情報を取得する取得手段と、
前記映像情報と、前記付加情報と、映像表示手段の表示性能を示す情報とに基づいて、前記映像情報の復号を行うとともに、前記映像表示手段で表示される映像の画質を調整する復号手段とを備え、
前記復号手段は、前記映像表示手段の表示画面を複数個に分割した領域で表示される映像の映像情報をそれぞれ復号する複数個の映像デコーダを含み、
前記デジタルストリームに含まれる映像情報を、映像属性情報と映像データとに分離し、
前記映像データを前記分割した領域に対応する映像データに分割し、
前記映像属性情報に前記付加情報を連結して、分割された映像データと組み合わせ、該組み合わせにより生成されたストリームをそれぞれ対応する前記映像デコーダに供給するストリーム制御手段をさらに有する
ことを特徴とするデジタル放送受信装置。
【請求項５】
放送伝送路を通じて放送番組の映像情報を含むデジタルストリームを受信する受信手段と、
通信伝送路を通じて前記放送番組の映像の画質調整のための付加情報を取得する取得手段と、
前記映像情報と、前記付加情報と、映像表示手段の表示性能を示す情報とに基づいて、前記映像情報の復号を行うとともに、前記映像表示手段で表示される映像の画質を調整する復号手段とを備え、
前記付加情報が、前記映像情報で表される映像の色変換を行うための色変換特性情報を含む
ことを特徴とするデジタル放送受信装置。
【請求項６】
前記復号手段は前記色変換特性情報に基づいて、前記映像情報で表される映像に対する色変換を行い、
前記映像表示手段は、前記色変換により得られた映像を表示する
ことを特徴とする請求項５に記載のデジタル放送受信装置。
【請求項７】
前記表示性能を示す情報が、前記映像表示手段の色域を示す情報であり、
前記付加情報として、複数の色変換特性情報が前記通信伝送路から取得可能であり、
前記取得手段は、前記映像表示手段の色域を示す情報に基づいて前記複数の色変換特性情報のうちの一つを選択して取得し、
前記復号手段は、取得された色変換特性情報に基づいて、前記映像情報で表される映像に対する色変換を行い、
前記映像表示手段が、前記色変換により得られた映像を表示する
ことを特徴とする請求項５に記載のデジタル放送受信装置。
【請求項８】
放送伝送路を通じて放送番組の映像情報を含むデジタルストリームを受信する受信ステップと、
通信伝送路を通じて前記放送番組の映像の画質調整のための付加情報を取得する取得ステップと、
前記映像情報と、前記付加情報と、映像表示手段の表示性能を示す情報とに基づいて、前記映像情報の復号を行うとともに、前記映像表示手段で表示される映像の画質を調整する復号ステップとを備え、
前記映像情報が、映像のピクセル毎のピクセル値を含み、
前記付加情報が、ピクセル毎の加算値を表す情報と、変換特性情報とを含み、
前記変換特性情報は、前記ピクセル毎のピクセル値と前記加算値との和から、前記映像表示手段の出力輝度レベルへの変換の特性を表すものである
ことを特徴とするデジタル放送受信方法。
【請求項９】
放送伝送路を通じて放送番組の映像情報を含むデジタルストリームを受信する受信ステップと、
通信伝送路を通じて前記放送番組の映像の画質調整のための付加情報を取得する取得ステップと、
前記映像情報と、前記付加情報と、映像表示手段の表示性能を示す情報とに基づいて、前記映像情報の復号を行うとともに、前記映像表示手段で表示される映像の画質を調整する復号ステップとを備え、
前記付加情報が、映像の輝度のダイナミックレンジを拡張するためのものである
ことを特徴とするデジタル放送受信方法。
【請求項１０】
放送伝送路を通じて放送番組の映像情報を含むデジタルストリームを受信する受信ステップと、
通信伝送路を通じて前記放送番組の映像の画質調整のための付加情報を取得する取得ステップと、
前記映像情報と、前記付加情報と、映像表示手段の表示性能を示す情報とに基づいて、前記映像情報の復号を行うとともに、前記映像表示手段で表示される映像の画質を調整する復号ステップとを備え、
前記デジタルストリームが、前記付加情報が前記通信伝送路から取得可能であるか否かを示す情報を含み、
前記デジタルストリームを解析し、前記付加情報が前記通信伝送路から取得可能であり、且つ前記付加情報を用いた画質調整が前記映像表示手段で可能であると判定した場合に前記取得ステップに、前記付加情報を取得させるシステム制御ステップをさらに有する
ことを特徴とするデジタル放送受信方法。
【請求項１１】
放送伝送路を通じて放送番組の映像情報を含むデジタルストリームを受信する受信ステップと、
通信伝送路を通じて前記放送番組の映像の画質調整のための付加情報を取得する取得ステップと、
前記映像情報と、前記付加情報と、映像表示手段の表示性能を示す情報とに基づいて、前記映像情報の復号を行うとともに、前記映像表示手段で表示される映像の画質を調整する復号ステップとを備え、
前記復号ステップは、前記映像表示手段の表示画面を複数個に分割した領域で表示される映像の映像情報をそれぞれ復号する複数個の映像デコーダで復号を行い、
前記デジタルストリームに含まれる映像情報を、映像属性情報と映像データとに分離し、
前記映像データを前記分割した領域に対応する映像データに分割し、
前記映像属性情報に前記付加情報を連結して、分割された映像データと組み合わせ、該組み合わせにより生成されたストリームをそれぞれ対応する前記映像デコーダに供給するストリーム制御ステップをさらに有する
ことを特徴とするデジタル放送受信方法。
【請求項１２】
放送伝送路を通じて放送番組の映像情報を含むデジタルストリームを受信する受信ステップと、
通信伝送路を通じて前記放送番組の映像の画質調整のための付加情報を取得する取得ステップと、
前記映像情報と、前記付加情報と、映像表示手段の表示性能を示す情報とに基づいて、前記映像情報の復号を行うとともに、前記映像表示手段で表示される映像の画質を調整する復号ステップとを備え、
前記付加情報が、前記映像情報で表される映像の色変換を行うための色変換特性情報を含む
ことを特徴とするデジタル放送受信方法。
【請求項１３】
前記復号ステップは前記色変換特性情報に基づいて、前記映像情報で表される映像に対する色変換を行い、
前記映像表示手段は、前記色変換により得られた映像を表示する
ことを特徴とする請求項１２に記載のデジタル放送受信方法。
【請求項１４】
前記表示性能を示す情報が、前記映像表示手段の色域を示す情報であり、
前記付加情報として、複数の色変換特性情報が前記通信伝送路から取得可能であり、
前記取得ステップは、前記映像表示手段の色域を示す情報に基づいて前記複数の色変換特性情報のうちの一つを選択して取得し、
前記復号ステップは、取得された色変換特性情報に基づいて、前記映像情報で表される映像に対する色変換を行い、
前記映像表示手段が、前記色変換により得られた映像を表示する
ことを特徴とする請求項１２に記載のデジタル放送受信方法。
【発明の詳細な説明】
【技術分野】
【０００１】
本発明は、デジタル放送受信装置及び方法に関する。
【背景技術】
【０００２】
近年、放送局側から放送される放送番組を視聴しながら、サービス事業者側からインターネット等の通信伝送路を介してアプリケーションおよび配信コンテンツを受信し、受信したアプリケーションを実行することで受信した放送番組と配信コンテンツを連携させて再生する放送通信連携サービスが普及している。従来の方式では、現在視聴している放送中の番組に関した放送通信連携サービスが知られている（例えば、特許文献１参照）。特許文献１は、現在放送中の番組表示を行っている際に、放送通信連携サービスから緊急放送用画像などをダウンロードし、放送番組に重畳して表示するモデルとして知られている。
【先行技術文献】
【特許文献】
【０００３】
【特許文献１】特開２０１２−２５７２２１号公報（第２−３頁、図１）
【発明の概要】
【発明が解決しようとする課題】
【０００４】
特許文献１に開示されている従来の放送番組受信装置では、放送番組再生中に放送通信連携サービスから取得した緊急放送用画像を別プレーンとして合成表示しており、放送番組自身の映像の高品位化のための画質調整を行う技術は開示されていない。また表示器の表示性能に合わせて放送番組の画質調整を行う上で、従来の表示器との再生互換性を確保することも課題となる。また、４Ｋ或いは８Ｋと言った高解像度の放送の場合には情報量が膨大であり、画質調整を行うための付加情報の情報量を低減することも課題となる。
【課題を解決するための手段】
【０００５】
本発明のデジタル放送受信装置は、
放送伝送路を通じて放送番組の映像情報を含むデジタルストリームを受信する受信手段と、
通信伝送路を通じて前記放送番組の映像の画質調整のための付加情報を取得する取得手段と、
前記映像情報と、前記付加情報と、映像表示手段の表示性能を示す情報とに基づいて、前記映像情報の復号を行うとともに、前記映像表示手段で表示される映像の画質を調整する復号手段とを備える
ことを特徴とする。
第１の態様では、
前記映像情報が、映像のピクセル毎のピクセル値を含み、
前記付加情報が、ピクセル毎の加算値を表す情報と、変換特性情報とを含み、
前記変換特性情報は、前記ピクセル毎のピクセル値と前記加算値との和から、前記映像表示手段の出力輝度レベルへの変換の特性を表すものである。
第２の態様では、
前記付加情報が、映像の輝度のダイナミックレンジを拡張するためのものである。
第３の態様では、
前記デジタルストリームが、前記付加情報が前記通信伝送路から取得可能であるか否かを示す情報を含み、
前記デジタルストリームを解析し、前記付加情報が前記通信伝送路から取得可能であり、且つ前記付加情報を用いた画質調整が前記映像表示手段で可能であると判定した場合に前記取得手段に、前記付加情報を取得させるシステム制御手段をさらに有する。
第４の態様では、
前記復号手段は、前記映像表示手段の表示画面を複数個に分割した領域で表示される映像の映像情報をそれぞれ復号する複数個の映像デコーダを含み、
前記デジタルストリームに含まれる映像情報を、映像属性情報と映像データとに分離し、
前記映像データを前記分割した領域に対応する映像データに分割し、
前記映像属性情報に前記付加情報を連結して、分割された映像データと組み合わせ、該組み合わせにより生成されたストリームをそれぞれ対応する前記映像デコーダに供給するストリーム制御手段をさらに有する。
第５の態様では、
前記付加情報が、前記映像情報で表される映像の色変換を行うための色変換特性情報を含む。
【発明の効果】
【０００６】
上述したように構成することにより、通信伝送路から放送番組に関連する映像付加情報を取得し、放送番組と同期して再生することで放送番組の映像の画質調整を行うことができる。
【０００７】
また、映像表示手段の表示性能に基づいて、適切な映像付加情報を自動的に取得することができるため、ユーザーは特別な操作が不要、且つ適切な情報量の映像付加情報を取得することができる。
【図面の簡単な説明】
【０００８】
【図１】本発明の実施の形態１のデジタル放送受信装置を示すブロック図である。
【図２】放送番組の解像度についての説明図である。
【図３】輝度のコントラストの大きい画像の一例を示す図である。
【図４】実施の形態１の表示性能ポリシーのデータ構造例を示す図である。
【図５】実施の形態１の放送通信連携の概念を示す図である。
【図６】（ａ）〜（ｄ）は、実施の形態１のデジタル放送受信装置で受信される放送番組のデジタルストリームのデータ構造を示す図である。
【図７】（ａ）〜（ｄ）は、実施の形態１の映像付加情報のデータ構造を示す図である。
【図８】実施の形態１による輝度設定値と出力輝度レベルとの関係を示すグラフである。
【図９】実施の形態１の映像付加情報の取得及び映像付加情報を用いた再生の手順を示すフロー図である。
【図１０】実施の形態１の映像付加情報を用いた再生の手順の詳細を示すフロー図である。
【図１１】本発明の実施の形態２のデジタル放送受信装置のシステムブロック図である。
【図１２】（ａ）〜（ｃ）は、実施の形態２におけるストリーム変換部の動作を示すデータフロー図である。
【図１３】実施の形態２における映像付加情報の取得及び映像ストリーム変換の手順を示すフロー図である。
【図１４】本発明の実施の形態３のデジタル放送受信装置のシステムブロック図である。
【図１５】実施の形態３の表示可能な色域についての説明図である。
【図１６】（ａ）及び（ｂ）は、実施の形態３で用いられる映像付加情報のデータ構造を示す図である。
【発明を実施するための形態】
【０００９】
実施の形態１．
図１は本発明の実施の形態１のデジタル放送受信装置１０の構成の概略を示す。
実施の形態１のデジタル放送受信装置１０は放送番組の映像情報を含む放送ストリーム（デジタルストリーム）を解析し、インターネット等の通信伝送路から当該放送番組の映像の画質調整を行うための映像付加情報を取得し、放送番組の映像情報と時刻同期をとりながら再生する。その際には従来の放送信号の再生互換性を維持するとともに、少ない情報量で映像付加情報を構成することで、デジタル放送受信装置の処理負荷を低減することを特徴としている。
【００１０】
図示のデジタル放送受信装置１０は、放送伝送路ＢＤを通じて図示しない放送局、具体的にはそのサーバーに接続されており、該放送局からデジタルストリームを受信することができる。
【００１１】
デジタル放送受信装置１０はまた、通信伝送路ＮＷを通じて、放送通信連携サービスを提供するサービス事業者（放送番組を提供する放送事業者自体がこのサービス事業者である場合もある）、具体的には、そのサーバーに接続されており、該サービス事業者から、映像付加情報を取得することができる。
【００１２】
映像付加情報は、放送番組の映像の画質調整、例えば、高品位化のための調整に用いられるものであり、放送番組のすべてについて提供されるとは限らず、各放送番組のデジタルストリームには、当該放送番組に関連する映像付加情報に関する情報が多重されている。この映像付加情報に関する情報には、該映像付加情報が上記サービス事業者から提供されているか否か、即ち通信伝送路ＮＷを通じて取得可能であるか否かを示す情報が含まれている。映像付加情報に関する情報には、さらに、該映像付加情報による映像の画質調整を行うための条件を示す情報、例えばどのような映像表示部が必要かを示す情報も含まれている。各デジタル放送受信装置１０は、上記の「映像付加情報が取得可能であるか否かを示す情報」及び「映像付加情報による映像の画質調整を行うための条件」を示す情報に基づいて、映像付加情報の取得を行うべきか否かを判定する。
【００１３】
例えば、映像付加情報に関する情報として、映像付加情報の取得先を示す情報、例えばＵＲＬが含まれている場合があり、その場合、各デジタル放送受信装置１０は、この取得先を示す情報の有無に基づいて、映像付加情報が提供されているか否かを判定することができる。なお、映像付加情報の取得先ではなく、映像付加情報の取得のためのアプリケーションの取得先を示す情報、例えばＵＲＬが含まれており、各デジタル放送受信装置１０では、該アプリケーションをダウンロードして実行することにより、別のデータ供給源（サービス事業者）から映像付加情報を取得するように構成されている場合もある。この場合には、各デジタル放送受信装置は、上記アプリケーションの取得先を示す情報の有無に基づいて、映像付加情報が提供されているか否かを判定することができる。
【００１４】
各デジタル放送受信装置で、映像付加情報による映像の画質調整を行うかどうかの判断をするに当たっては、当該デジタル放送受信装置の映像表示部が画質調整に対応したものであるかどうかの判断をも行う必要がある。その判断のため、映像表示部の表示性能を示す情報を参照する必要がある。
【００１５】
さらにまた、同じ放送番組であっても、複数の規格、例えば、４Ｋ規格及び８Ｋ規格の一方についてのみ映像付加情報が提供されている場合もある。その場合には、各デジタル放送受信装置１０は、映像付加情報に関する情報から、どの規格に対して映像付加情報が提供されているかの判定をも行い、当該デジタル放送受信装置の映像表示部が４Ｋ解像度対応のものか、８Ｋ解像度まで対応のものかに応じて、映像付加情報の取得を行うか否かの判断、或いは当該映像付加情報を用いた画質調整を行うか否かの判断を行う。
【００１６】
実施の形態１では、映像付加情報はＨＤＲ（Ｈｉｇｈ  Ｄｙｎａｍｉｃ  Ｒａｎｇｅ）変換を実現するための情報である。ＨＤＲ変換とは輝度のダイナミックレンジが広い映像（ＨＤＲ映像）の表現を可能にする技術であり、ＨＤＲ変換により白飛びが少なくなり、太陽の煌めきなどを表現できるようになる。ＨＤＲ映像を表示するためには、ＨＤＲ映像に対応した表示器が必要である。
【００１７】
以下図１に示すデジタル放送受信装置の内部における処理をより具体的に説明する。
放送局からの放送信号（放送番組に、他の種々の情報、特に映像付加情報に関する情報を多重したデジタルストリームを変調した信号）は、放送伝送路ＢＤを介して伝送されて、チューナー部１２で受信され、チューナー部１２にてデジタルストリーム、例えばＭＰＥＧ−２トランスポートストリームに復号される。チューナー部１２は、放送番組を含むデジタルストリームの受信部乃至手段としての役割を持つ。
【００１８】
ストリーム制御部１４は、チューナー部１２で受信された放送ストリームを、符号化された映像ストリームと符号化された音声ストリームとに分離して取り出すためにデマルチプレクサを含む。
なお、本実施の形態では、ＭＰＥＧ−２トランスポートストリームで多重化されているものとするが、ＭＭＴ（ＭＰＥＧ  Ｍｅｄｉａ  Ｔｒａｎｓｐｏｒｔ）と呼ばれる方式で多重化されていても良い。
【００１９】
映像デコーダ部（映像復号手段）１５は、ストリーム制御部１４にて分離された、ＭＰＥＧ−２などで符号化された映像ストリームを、デコード処理して映像信号を出力する。本実施の形態では、映像デコーダ部１５は、８Ｋ映像を復号化することができる８Ｋ解像度対応デコーダ（８Ｋデコーダ）１５０と、ＨＤＲ輝度変換部１５１とを有する。
【００２０】
音声デコーダ部（音声復号手段）１６は、ストリーム制御部１４にて分離された、ＡＣ−３などで符号化された音声ストリームを、デコード処理して音声信号を出力する。
【００２１】
映像表示部２１は、映像デコーダ部１５から出力された映像信号に対応する映像を表示する。音声出力部２２は、音声デコーダ部１６から出力された音声信号に対応する音声を出力する。
【００２２】
ネットワークインターフェース部１３は、インターネット等の通信伝送路ＮＷに接続され、上記した映像付加情報の取得部乃至手段として用いられている。
【００２３】
システム制御部２５は、デジタル放送受信装置１０全体を統合制御する。システム制御部２５は、放送ストリーム解析制御部２５１とＨＤＲ合成制御部２５２とを有する。
【００２４】
システム制御部２５に接続されているメモリ部２６は、表示性能ポリシー２６１と、映像付加情報２６２とを記憶するものであり、不揮発性メモリで構成されている。
【００２５】
表示性能ポリシー２６１は、映像表示部２１の表示性能を示す情報（表示性能情報）であり、本実施の形態のように、映像表示部２１がデジタル放送受信装置の一部を成す場合には予め取得され、メモリ部２６に格納されている。
【００２６】
放送ストリーム解析制御部２５１は、ストリーム制御部１４で放送ストリームをデマルチプレクスする際に、放送ストリーム、特に放送番組のデータに多重されている他の情報（制御情報）を解析して、当該放送番組に関連する映像付加情報が通信伝送路ＮＷから取得可能であるか否かを判定し、当該放送番組に関連した映像付加情報が通信伝送路ＮＷを通じて取得可能である場合、ネットワークインターフェース部１３に映像付加情報を取得させる。
【００２７】
ネットワークインターフェース部１３で取得された映像付加情報は、ストリーム制御部１４を介してシステム制御部２５に送られ、メモリ部２６に格納される。格納された映像付加情報を符号２６２で示す。
【００２８】
放送ストリーム解析制御部２５１はまた、映像付加情報を用いた映像の画質調整が、当該デジタル放送受信装置１０の映像表示部２１で可能か否かを判断し、可能と判断したときは、映像付加情報をメモリ部２６から読み出してストリーム制御部１４を介して映像デコーダ部１５の８Ｋデコーダ１５０に供給する。
【００２９】
なお、映像付加情報による映像の画質調整が、当該デジタル放送受信装置１０の映像表示部２１で可能ではないことが、該映像付加情報の取得前に、例えば該映像付加情報に関する情報から分かる場合がある。その場合には、該映像付加情報の、ネットワークインターフェース部１３による取得を行わないようにしても良い。
【００３０】
ＨＤＲ合成制御部２５２は、映像デコーダ部１５のＨＤＲ輝度変換部１５１に対し、映像付加情報を用いた画質調整を行うよう指示する。
【００３１】
放送ストリーム解析制御部２５１及びＨＤＲ合成制御部２５２として、システム制御部２５内のファームウェアなどで構成される例を示しているが、システム制御部２５の外部に存在しても良いし、当該機能を有するハードウェアで構成しても良い。また別機能ブロックとして記載しているが、これらの機能が統合されていても良いし、さらに細分化した機能ブロックで構成されていても良い。
【００３２】
操作部２７はユーザーなどからデジタル放送受信装置１０に対して要求を行う際にユーザーなどにより操作される。一般的に操作部２７は、デジタル放送受信装置１０のフロントパネルに配置されている操作パネル、リモコンなどを指す。デジタル放送受信装置１０のシステム制御部２５は、操作部２７によって要求された命令の内容を解釈し、デコーダブロック１１を制御することで任意の放送番組の情報を再生する。
【００３３】
図２は、放送番組の映像の解像度についての説明図である。現行放送は２Ｋ放送（２Ｋ１Ｋ放送）３０１と呼ばれ、その映像は横方向が２０００ピクセル程度、縦方向が１０００ピクセル程度、例えば横１９２０ピクセル×縦１０８０ピクセルの解像度を持つ。しかしながら、近年、超高精細映像の番組が放送されはじめ、４Ｋ放送（４Ｋ２Ｋ放送）３０２、８Ｋ放送（８Ｋ４Ｋ放送）３０３の標準化が進められている。
【００３４】
４Ｋ放送３０２の映像は、２Ｋ放送３０１の映像の解像度の４倍となる横方向が４０００ピクセル程度、縦方向が２０００ピクセル程度、例えば横３８４０ピクセル×縦２１６０ピクセルの解像度を持つ。また８Ｋ放送３０３の映像は、４Ｋ放送３０２の映像の４倍となる横方向が８０００ピクセル程度、縦方向が４０００ピクセル程度、例えば横７６８０ピクセル×縦４３２０ピクセルの解像度を持つ。８Ｋ放送３０３になると、現行の放送規格の映像（横方向が２０００ピクセル程度、縦方向が１０００ピクセル程度）と比較して情報量が膨大になるため、デジタル放送受信装置１０の通信負荷や復号負荷が大きくなるといった問題がある。
【００３５】
図３は輝度のコントラストが大きく、ＨＤＲ変換を行うのが望ましい画像の一例を示す図である。同図は映像表示部２１に表示される画像の例３５０を示す。ＨＤＲ変換は、映像表示部２１で表現可能な輝度信号の最大値と最小値の比率を拡大する技術である。従来の映像表示器では表現可能な輝度範囲が限定されており、太陽の煌めきや川に映る光の煌めきなどのような極めて高い輝度を階調表現することができず、白で飽和した「白とび」と呼ばれる現象が発生していた。例えば同図中の、符号３５１ａで示す太陽光の部分や、符号３５１ｂ及び３５１ｃで示すように、太陽光が川に反射したときの煌めき部分の階調が損なわれ、高輝度部分を階調表現することができなかった。ＨＤＲ変換は、このような高輝度部分の階調表現を可能にするものである。高輝度部分の表現を可能にするため、高輝度部分に対して、通常の放送番組の映像情報に含まれる輝度設定値の最大値よりも大きな輝度設定値（増強された輝度設定値）を持つデータを発生し、映像表示部２１に、該増強された輝度設定値に対応する輝度での表示を行わせる。
【００３６】
ＨＤＲ変換により得られた画像（ＨＤＲ画像）、特にその高輝度部分の表示を行うには、ＨＤＲ対応の表示器が必要であり、従来のＨＤＲ非対応の表示器ではＨＤＲ画像の高輝度部分を表示することができない。
【００３７】
図４は、実施の形態１の表示性能ポリシー（表示性能情報）２６１のデータ構造例を示す。表示性能ポリシー２６１は、表示性能項目４０１毎に、当該デジタル放送受信装置１０の表示性能設定値４０２を示す。本実施の形態では表示性能項目４０１が、表示可能解像度（ビデオ）４１０、ＨＤＲ対応有無４１１、対応色空間４１２、輝度深度４１３、及び表示可能解像度（字幕）４１４を含む。
【００３８】
表示可能解像度（ビデオ）４１０は、ビデオの解像度を示す。解像度の設定値４０２の候補（選択肢）として、「８Ｋ（７６８０×４３２０ピクセル）、４Ｋ（３８４０×２１６０ピクセル）、及び２Ｋ（１９２０×１０８０ピクセル）」がある。本実施の形態では、解像度４１０の表示性能設定値４０２が「８Ｋ（７６８０×４３２０ピクセル）」であるものとする。この場合、放送映像を表示するためのビデオプレーンの表示解像度は８Ｋ（７６８０×４３２０ピクセル）である。
【００３９】
ＨＤＲ対応有無４１１は、ＨＤＲに対応しているか、非対応であるかを示す。設定値４０２の候補（選択肢）として、「対応」と「非対応」がある。本実施の形態では、表示性能設定値４０２を、「対応」であるものとする。
【００４０】
対応色空間４１２は、設定値の候補（選択肢）として、「ＢＴ．７０９」と「ＢＴ．２０２０」とがある。本実施の形態では、表示性能設定値４０２が、「ＢＴ．２０２０」であるものとする。
【００４１】
輝度深度４１３は、設定値の候補（選択肢）として、「１２ビット」、「１０ビット」、及び「８ビット」がある。本実施の形態では、表示性能設定値４０２が、「１２ビット」であるものとする。なお１２ビットに設定された場合、４０９６個（２の１２乗）の階調表現が可能になる。
【００４２】
表示可能解像度（字幕）４１４は、字幕の解像度を示す。解像度の設定値４０２の候補（選択肢）として、「８Ｋ（７６８０×４３２０ピクセル）」、「４Ｋ（３８４０×２１６０ピクセル）」、及び「２Ｋ（１９２０×１０８０ピクセル）」がある。本実施の形態では、表示性能設定値４０２が、「４Ｋ（３８４０×２１６０ピクセル）」であるものとする。この場合、字幕などのサブピクチャ映像を表示するための字幕プレーンの表示解像度が４Ｋ（３８４０×２１６６０ピクセル）であることを示す。
【００４３】
本実施の形態のデジタル放送受信装置１０は、その内部に映像表示部２１を具備している。そのため表示性能ポリシー２６１は固定値として、上記のように、あらかじめメモリ部２６に記憶させておくことができる。
【００４４】
図５は、実施の形態１の放送通信連携の概念を示す。放送通信連携においては、放送伝送路ＢＤと通信伝送路ＮＷを同様に取り扱い、かつこれらを連携或いは融合させたサービスを利用することができる。同図は、放送伝送路ＢＤから取得したデータと通信伝送路ＮＷから取得したデータの組合せて用いるサービスの例を示す。
【００４５】
同図では、放送波の物理チャンネル５００には、映像アセット５０１、第１の音声アセット（音声＃１アセット）５０２、第１の字幕アセット（字幕＃１アセット）５０３、及び第２の字幕アセット（字幕＃２アセット）５０４が含まれる。放送伝送路ＢＤのみでサービス（チャンネル）を選択すれば、物理チャンネル５００に含まれるアセットだけが視聴できる。
【００４６】
また当該サービス（チャンネル）に関連した情報を通信伝送路ＮＷから（即ち、通信伝送路ＮＷに接続されたサービス事業者から）取得することができる。図５には、通信伝送路ＮＷから映像付加情報アセット５１１、及び第２の音声アセット（音声＃２アセット）５１２を取得できる場合を示す。これらの情報は放送波の物理チャンネル５００に紐づけられた情報であり、放送波の映像と同期して再生が行なわれる。なお映像付加情報アセット５１１で伝送される情報量が小さい場合には、データ放送のようにカルーセル巡回データ形式で伝送されても良い。これらの情報は、ＩＰ（Ｉｎｔｅｒｎｅｔ  Ｐｒｏｔｏｃｏｌ）データフロー５１０として伝送される。
【００４７】
各デジタル放送受信装置１０で、ユーザーがあるイベント（番組）５２０を選択すると、当該イベント５２０のデータ及び関連するデータ（枠５２０で囲まれたデータ）を取得し、時刻同期を取って情報を組み合わせ、映像表示部２１及び音声出力部２２で視聴を可能にする。このように構成することで、映像付加情報アセット５１１に含まれるＨＤＲ変換のための輝度変換情報を利用して放送映像の表示品位を高めたり、音声＃２アセット５１２を利用して音声言語切り替えたりすることが可能になる。
【００４８】
以下では、本実施の形態の特徴である、ＨＤＲ変換のための映像付加情報を用いた、映像の高品位化のための画質調整に重点を置いて説明する。
【００４９】
図６（ａ）〜（ｄ）を参照して、放送番組の映像情報を含むデジタルストリームのデータ構造を説明する。図６（ａ）〜（ｄ）は、ストリーム制御部１４でデマルチプレクスすることによって生成される、符号化圧縮された映像ストリーム６００のデータ構造の例を示す。
映像ストリーム６００は、図６（ａ）に示すように、符号化圧縮単位となるＧＯＰ（Ｇｒｏｕｐ  Ｏｆ  Ｐｉｃｔｕｒｅｓ）６０１単位で情報圧縮されている。
【００５０】
各ＧＯＰ６０１は、図６（ｂ）に示すように、フレーム内でデータ圧縮されたＩピクチャ６１０と、時間的に前方向のＩピクチャによる予測符号化によりデータ圧縮されたＰピクチャ６１１と、時間的に前後方向のＩピクチャ６１０またはＰピクチャ６１１による予測符号化によりデータ圧縮されたＢピクチャ６１２とから構成されており、各ＧＯＰ６０１の再生時間は例えば約０．５秒である。
【００５１】
Ｉピクチャ６１０は、図６（ｂ）に示すように、ＧＯＰ６００の先頭に位置しており、ＧＯＰ６００の中で最初にデコードされる。
Ｉピクチャ６１０は、図６（ｃ）に示すように、表示時刻情報６２０、映像属性情報６３０、及び符号化映像データ６４０から構成される。符号化映像データ６４０は、単一のスライス（スライス＃１）で構成されるものとして図示している。
【００５２】
表示時刻情報６２０は、ＰＴＳ（Ｐｒｅｓｅｎｔａｔｉｏｎ  Ｔｉｍｅ  Ｓｔａｍｐ）で構成されており、映像表示部２１での表示時刻(提示時刻)を表す。なお表示時刻情報６２０は、映像が同期可能な時刻情報であれば良く、ＰＴＳではなくＮＴＰ（Ｎｅｔｗｏｒｋ  Ｔｉｍｅ  Ｐｒｏｔｏｃｏｌ）で定義される時刻情報であっても良い。
【００５３】
映像属性情報６３０は、ＡＵＤ６３１、ＳＰＳ６３２、及びＰＰＳ６３３を含む。
ＡＵＤ６３１は「Ａｃｃｅｓｓ  Ｕｎｉｔ  Ｄｅｌｉｍｉｔｅｒ」の略語であり、映像のアクセスユニットの先頭を示す識別子情報を含み、さらに、当該アクセスユニットに含まれるスライスの種類を示す情報を含む。
ＳＰＳ６３２は「Ｓｙｓｔｅｍ  Ｐａｒａｍｅｔｅｒ  Ｓｅｔ」の略で、ＧＯＰ６０１全体の符号化に関わるプロファイル、レベル、解像度、フレームレート、及びビットレート上限値などの情報を含む。
ＰＰＳ６３３は「Ｐｉｃｔｕｒｅ  Ｐａｒａｍｅｔｅｒ  Ｓｅｔ」の略で、ピクチャ全体の符号化に関わる情報、即ち、エントロピー符号化モードやピクチャ単位の量子化パラメータ等の情報を含む。
【００５４】
Ｐピクチャ６１１、およびＢピクチャ６１２は、図６（ｄ）示すように構成され、ＳＰＳ６３２を含まない点以外では、Ｉピクチャ６１０と同様である。
【００５５】
図７（ａ）〜（ｄ）は、映像付加情報５１１のデータ構造を示す。映像付加情報５１１は、ＳＥＩ（Ｓｕｐｐｌｅｍｅｎｔａｌ  Ｅｎｈａｎｃｅｍｅｎｔ  Ｉｎｆｏｒｍａｔｉｏｎ）７００として用いられるものであり、図７（ａ）に示すように、各番組を構成する、時系列をなす複数のピクチャに対応して用意された複数の輝度変換情報７１０から成り、各ピクチャの輝度変換情報７１０は、図７（ｂ）に示すように、表示時刻情報７２０と、ＨＤＲ変換特性情報７３０と、ＨＤＲ差分データ７４０とを含む。
【００５６】
表示時刻情報７２０は、該表示時刻情報７２０を含む輝度変換情報７１０の再生時刻を表す。表示時刻情報７２０は、該表示時刻情報７２０を含む輝度変換情報７１０を用いた画質調整を行うピクチャ（図６（ｂ）の６１０、６１１、又は６１２）の表示時刻情報６２０と同じ時刻を示すものとなるように設定される。ストリーム制御部１４は、ある表示時刻情報６２０を持つピクチャと、当該表示時刻情報６２０と同じ表示時刻を示す表示時刻情報７２０を持つ輝度変換情報７１０とを同期して、映像デコーダ部１５に供給する。即ち、各ピクチャが８Ｋデコーダ１５０で復号されて、その復号結果が８Ｋデコーダ１５０から出力されるタイミングに合わせて、対応する輝度変換情報７１０がＨＤＲ輝度変換部１５１に入力されるようにする。ＨＤＲ輝度変換部１５１は、８Ｋデコーダ１５０の復号の結果生成された映像データの輝度設定値に対して、対応する輝度変換情報７１０のＨＤＲ変換特性情報７３０及びＨＤＲ差分データ７４０を用いた変換を行って出力輝度レベル（を示すデータ）を生成する。
【００５７】
表示時刻情報７２０は、表示時刻情報６２０と同様に、ＰＴＳ（Ｐｒｅｓｅｎｔａｔｉｏｎ  Ｔｉｍｅ  Ｓｔａｍｐ）で構成されているが、ＰＴＳではなく、ＮＴＰ（Ｎｅｔｗｏｒｋ  Ｔｉｍｅ  Ｐｒｏｔｏｃｏｌ）で定義される時刻情報であっても良い。
【００５８】
ＨＤＲ差分データ７４０は、通常の放送番組の映像情報で表される映像（以下、「放送信号による映像」と言う）の各ピクセルの輝度設定値に加算すべき値（加算値）を示す情報（輝度加算値情報）であり、例えば、図７（ｄ）に示すように構成されている。図７（ｄ）で示す例は、各ピクチャの全ピクセルのうち、輝度増強の対象となるピクセルに対してのみ、輝度加算値が定義されている。
【００５９】
Ｎｕｍ＿Ｏｆ＿Ｓａｍｐｌｅｓ７４１は、ピクチャの全ピクセルのうち、輝度増強の対象となるピクセルの数を表す。
ｘ＿ｐｏｓは、ＨＤＲ＿Ｘ座標７４２、即ち、ピクチャ内の水平方向の座標を示し、ｙ＿ｐｏｓは、ＨＤＲ＿Ｙ座標７４３、即ち、ピクチャ内の垂直方向の座標を示し、ｄｉｆ＿ｄａｔａは、輝度加算値７４４を示す。ｄｉｆ＿ｄａｔａは８ビットで表されるものとする。
これらにより、ピクチャ内の水平方向の座標値７４２がｘ＿ｐｏｓ、垂直方向の座標値７４３がｙ＿ｐｏｓである位置のピクセルについての輝度加算値７４４がｄｉｆ＿ｄａｔａであることが示される。以下では、水平方向の座標及び垂直方向の座標をそれぞれｘ、ｙで表し、輝度加算値をＤで表し、さらに、座標（ｘ,ｙ）における輝度加算値ＤをＤ（ｘ,ｙ）で表す場合がある。
【００６０】
このように輝度増強の対象になるピクセルについてのみ、輝度加算値を定義することで、輝度増強の対象とならないピクセルについては、輝度加算値を表す情報が不要となり、ＨＤＲ変換によるダイナミックレンジの拡張のために必要な情報の量を少なくすることができる。
【００６１】
ＨＤＲ変換特性情報７３０は、放送信号による映像の各ピクセルの輝度設定値Ｂｂと、ＨＤＲ差分データ７４０で表される、同じピクセルについての輝度加算値Ｄとから、出力輝度レベルＦを求めるための変換特性を示す情報（マッピング情報）である。なお、輝度増強の対象となるピクセルについての放送信号による輝度設定値Ｂｄは、その最大値（２５５）を取る。
【００６２】
この変換特性情報は、例えば、各ピクセル（座標（ｘ,ｙ）のピクセル）についての、放送信号による輝度設定値Ｂｂ（ｘ,ｙ）と、同じピクセルについての輝度加算値Ｄ（ｘ,ｙ）との和（合計値）Ｂｅ（ｘ,ｙ）から、出力輝度レベルＦ（ｘ,ｙ）を得るための変換特性を示す情報である。
なお、増強後の輝度設定値をＢｅで示し、放送信号による輝度設定値をＢｂで示すが、両者のいずれであるかを区別する必要がない場合、或いは両者に当てはまる場合には、輝度設定値を単に符号Ｂで表す。
【００６３】
以下、変換特性情報について、図８を参照して説明する。
図８はＨＤＲ変換のための輝度設定値Ｂと出力輝度レベルＦとの関係（変換特性曲線）を示すグラフである。
図８では、放送信号による映像の輝度範囲が８ビットで表され、輝度加算値が８ビットで表される場合を想定している。
【００６４】
一般的な放送信号による映像（ＳＤＲ（Ｓｔａｎｄａｒｄ  Ｄｙｎａｍｉｃ  Ｒａｎｇｅ）映像）の輝度設定値Ｂは８ビットで表現されるため、２５６階調（２の８乗）の分解能を持つ。また一般的な放送信号は、出力輝度レベルＦとして１００ＮＩＴ（ニット）程度の明るさまでを表現することを前提に標準化が行われている。すなわち輝度設定値Ｂが０〜２５５までの値を持ち、それに対して出力輝度レベルＦは０〜１００ＮＩＴの値を持つことになる。なお出力輝度レベルＦが「０」であることは全黒であることを示し、出力輝度レベルＦが「１００」の場合は全白であることを示す。
【００６５】
ＨＤＲ対応の表示器の場合、出力輝度レベルＦのダイナミックレンジが広く、最大で１０００ＮＩＴ程度の明るさまで表現することができるため、一般的な放送信号では全白で表現されていたピクセル群でも、より高い輝度で表現することが可能になる。すなわち太陽の輝きなど極めて輝度の高い部分においてもグラデーション表現乃至階調表現が可能となり、非常に高品位な映像表示が可能となる。
【００６６】
しかしながら放送番組は、輝度信号が８ビット、出力輝度レベルが約１００ＮＩＴとして設計されている。そのため輝度設定値が０〜２５５の値で、出力輝度レベルＦが０〜１００ＮＩＴを表現することになる。図８のように、放送信号による映像の輝度設定値の変化範囲を放送輝度変換区間或いは通常区間ＢＲと呼び、この区間における変換特性を曲線８１０で表し、この区間における輝度設定値Ｂに対する出力輝度レベルＦの変化割合、即ち輝度設定値Ｂの増分ΔＢに対する出力輝度レベルＦの増分ΔＦの比ΔＦ／ΔＢを通常区間傾斜係数８１１と言う。図８には、通常区間傾斜係数８１１に対応する傾斜角がαで示されている。
【００６７】
放送信号は輝度設定値Ｂとして、値２５５よりも大きな値を表現することができない。従って、光の煌めきの部分のように極めて高い輝度の部分でも、輝度設定値Ｂは、「２５５」より大きくはならない。ＨＤＲ変換を行う場合、通信伝送路ＮＷからＨＤＲ差分データ７４０の輝度加算値７４４を、放送信号による映像の輝度設定値（最大値である２５５）に加算することで、増強された輝度設定値Ｂｅを生成し、増強された輝度設定値を、ＨＤＲ変換特性情報７３０を用いて変換することで、１００ＮＩＴよりも大きな出力輝度レベルＦを生成し、映像表示部２１にこの出力輝度レベルＦでの表示を行わせることが可能である。
【００６８】
即ち、ＨＤＲ輝度変換部１５１が、放送伝送路ＢＤから受信した放送信号による映像情報（８Ｋデコーダ１５０による復号の結果得られる映像データ）で表される映像の各ピクセルの輝度設定値Ｂｂ（ｘ,ｙ）に、通信伝送路ＮＷから取得した映像付加情報で表される同じピクセルの輝度加算値Ｄ（ｘ,ｙ）を加算することで増強後の輝度設定値Ｂｅ（ｘ,ｙ）を算出し、当該増強後の輝度設定値Ｂｅ（ｘ,ｙ）と、ＨＤＲ変換特性情報７３０とから出力輝度レベルＦ（ｘ,ｙ）を決定し、映像表示部２１では、決定した出力輝度レベルＦ（ｘ,ｙ）で表示を行う。
【００６９】
映像表示部２１が液晶パネルで構成されている場合、出力輝度レベルＦ（ｘ,ｙ）での表示を行うための調整は、液晶シャッターの透過率の制御と、バックライトの発光強度の制御とによって行われる。これらの制御は、映像表示部２１内に設けられた駆動制御部で行われる。なお、上記の駆動制御部をデコーダブロック１１内に設け、該駆動制御部から制御のための駆動信号を映像表示部２１に供給するようにしても良い。
【００７０】
なおまた、出力輝度レベルの増強として説明しているが、カラー映像の場合、それぞれの色信号のレベルを「輝度レベル」として、上記の出力輝度レベルの増強を行っても良く、輝度値に対して上記の出力輝度レベルの増強を行った後に、増強後の輝度値を用いて色成分値への変換を行っても良い。
【００７１】
なお、このような動作は、ＨＤＲ非対応の映像表示部２１では行うことができない。従って、ＨＤＲ非対応の映像表示部２１を備えたデジタル放送受信装置では、通信伝送路ＮＷから映像付加情報を取得せずに通常区間ＢＲにおける変換特性曲線８１０に基づいて出力輝度レベルＦを決定する。
【００７２】
上記のようなＨＤＲ変換によるダイナミックレンジの拡張に当たり、本実施の形態では、通信伝送路ＮＷからは、通常放送の輝度値（輝度設定値）に対する加算値を表す情報のみを取得するため、映像付加情報の情報量を少なくすることができる。
【００７３】
映像付加情報を用いて１０００ＮＩＴまでの輝度を表現する場合、１００ＮＩＴから１０００ＮＩＴの範囲でも、輝度設定値に対する出力輝度レベルの傾斜係数が、通常区間傾斜係数８１１と同じであるとすると、輝度設定値Ｂが０から２５６０までの変化範囲を持つ必要がある。こうすると１つのピクセルあたりの輝度加算値を表す情報のビット数が多くなり、映像付加情報全体の情報量も大きくなる。
【００７４】
そこで１００ＮＩＴから１０００ＮＩＴの範囲の輝度レベルを生じさせるための輝度設定値の変化範囲（拡張区間ＥＲと呼ぶ）における輝度設定値Ｂに対する出力輝度レベルＦの変化割合、即ち輝度設定値Ｂの増分ΔＢに対する出力輝度レベルの増分ΔＦの比ΔＦ／ΔＢ（拡張区間傾斜係数８２１）を、通常区間傾斜係数８１１よりも大きくすることで、輝度加算値Ｄの変化範囲をより狭くしている。図８には、拡張区間傾斜係数８２１に対応する傾斜角をβで示す。
【００７５】
視聴者にとって、拡張区間ＥＲにおける表示輝度は細かな階調表現よりも、ダイナミックレンジが広いことが重要であるため、映像付加情報の情報量の圧縮のために、拡張区間傾斜係数８２１を大きくしても問題とならない。図８の曲線８２０の例では、拡張区間傾斜係数８２１を通常区間傾斜係数８１１の９倍としている。
こうすることで、通常区間ＢＲでは、輝度設定値Ｂが２５６階調で１００ＮＩＴを表現するのに対して、拡張区間ＥＲでは、輝度設定値Ｂが２５６階調で９００ＮＩＴ（１００ＮＩＴから１０００ＮＩＴまで）を表現することができる。
【００７６】
図８の曲線８２０で示す変換特性を実現する場合、ＨＤＲ変換特性情報７３０として、その最小値７３１が「０」、最大値７３２が「９００」、傾斜係数７３３が「９００／２５６」であるものが用いられる。この場合、最小値７３１は、輝度加算値Ｄが最小値、即ち「０」のときの出力輝度レベルＦの加算値（増強分）、最大値７３２は、輝度加算値Ｄが最小値、即ち「２５６」のときの、出力輝度レベルＦの加算値（増強分）を表すものとする。
なお、最小値７３１及び最大値７３２を上記のように定義する場合、傾斜係数７３３は最小値７３１及び最大値７３２から自ずと定まるので、別途に定義しなくても良い。逆に、最小値７３１度と傾斜係数７３３を定義し、最大値７３２の定義を省略しても良く、最大値７３２と傾斜係数７３３を定義し、最小７３１の定義を省略しても良い。
【００７７】
上記の例では、輝度加算値が８ビットで表され、輝度加算値の最大値が、８ビットで表される値の最大値（２５６）に一致するものとしているが、輝度加算値の最大値が、８ビットで表される値の最大値（２５６）よりも小さくても良い。例えば、輝度加算値の最大値が１２８である場合の変換特性は曲線８２５で示す如くとなる。この場合、ＨＤＲ変換特性情報７３０として、その最小値７３１が「０」、最大値７３２が「９００」、傾斜係数７３３が「９００／１２８」であるものが用いられる。この場合、最小値７３１は、輝度加算値Ｄが最小値、即ち「０」のときの出力輝度レベルＦの加算値（増強分）、最大値７３２は、輝度加算値Ｄが最大値、即ち「１２８」のときの、出力輝度レベルＦの加算値（増強分）、傾斜係数７３３は、輝度加算値Ｄの増分ΔＢに対する出力輝度レベルＦの増分の比を表すものとする。このように、輝度加算値Ｄの最大値を、任意の値にする場合には、最小値７３１、最大値７３２及び傾斜係数７３３をそれぞれ定義する必要がある。
【００７８】
拡張区間ＥＲにおける変換特性を曲線８２０で示すように通常区間よりも急な傾斜を有するものにする代わりに、曲線８４０で示すように、通常区間ＢＲと同じ傾斜を持つものとしても良い。この場合、映像表示部２１で表示可能な輝度レベルの最大値１０００ＮＩＴでの表示は行われないことになるが、通常区間ＢＲと拡張区間ＥＲとで、曲線の傾斜が同じであるために、輝度設定値の全範囲にわたり、輝度設定値の変化に伴う出力輝度レベルの変化の連続性を確保することができる。また、子供や目の弱い視聴者は、ＨＤＲ変換により増強された極めて高い輝度の映像を視聴すると目に疲れがたまりやすいが、曲線８４０のような変換特性を持たせることで、表示される輝度レベルの最大値を抑えることができ、目の疲れを少なくすることができる。
【００７９】
図８の曲線８４０で示す変換特性を実現する場合、ＨＤＲ変換特性情報７３０として、その最小値７３１が「０」、最大値７３２が「１００」、傾斜係数７３３が「１００／２５６」であるものが用いられる。この場合、最小値７３１は、輝度加算値Ｄが最小値、即ち「０」のときの、出力輝度レベルＦの加算値（増強分）、最大値７３２は、輝度加算値Ｄが最大値、即ち「２５６」のときの、出力輝度レベルＦの加算値（増強分）を表す。
なお、最小値７３１及び最大値７３２を上記のように定義する場合、傾斜係数７３３は最小値７３１及び最大値７３２から自ずと定まるので、別途に定義しなくても良い。逆に、最小値７３１と傾斜係数７３３を定義し、最大値７３２の定義を省略しても良く、最大値７３２と傾斜係数７３３を定義し、最小値７３１の定義を省略しても良い。
【００８０】
図８の曲線８４０で示す変換特性を実現する場合のＨＤＲ変換特性情報７３０として、上記のものを用いる代わりに、最小値７３１が「０」、最大値７３２が「２００」、傾斜係数７３３が「２００／５１１」であるものを用いても良い。この場合、最小値７３１は、輝度設定値Ｂが最小値、即ち「０」のときの出力輝度レベルＦ、最大値７３２は、輝度設定値Ｂが最大値、即ち「５１１」のときの出力輝度レベルＦを表すものとする。
なお、最小値７３１及び最大値７３２を上記のように定義する場合、傾斜係数７３３は最小値７３１及び最大値７３２から自ずと定まるので、別途に定義しなくても良い。逆に、最小値７３１と傾斜係数７３３を定義し、最大値７３２の定義を省略しても良く、最大値７３２と傾斜係数７３３を定義し、最小値７３１の定義を省略しても良い。
【００８１】
また、拡張区間ＥＲにおける変換特性を、１次関数で表現されるものとする代わりに、曲線８３０で示すように、２次関数で表現されるものとしても良く、更に高次の関数で表現されるものとしても良い。２次関数、或いはより高次の関数で表現される曲線を用いる場合、通常区間ＢＲと拡張区間ＥＲの境界部分で、曲線の傾斜が急に変化しないようにすることが望ましい。そのようにすることで、輝度設定値の変化にともなう出力輝度レベルの変化に連続性を持たせることができる。
【００８２】
曲線８３０で示される２次関数を用いる場合、ＨＤＲ変換特性情報７３０としては、２次関数の係数及び定数を表すものが用いられる。
【００８３】
以上の例では、拡張区間ＥＲにおいてのみ、出力輝度レベルを通常よりも大きな値にする一方、通常区間ＢＲにおいては、ＨＤＲ変換の影響を与えないようにしているが、ＨＤＲ変換によるダイナミックレンジの拡張に伴って、通常区間ＢＲにおいても出力輝度レベルを変化させるようにしても良い。この場合の、変換特性の例を曲線８５０で示す。
【００８４】
この変換特性曲線８５０は、通常区間ＢＲおける部分８５０ａと、拡張範囲における部分８５０ｂとを有する。通常区間ＢＲにおける部分８５０ａは、最小値７３１ａが「０」、最大値７３２ａが「２００」、傾斜係数７３３ａが「２００／２５５」、拡張区間ＥＲにおける部分８５０ｂは、最小値７３１ｂが「２００」、最大値７３２ｂが「１０００」、傾斜係数７３３ｂが「８００／２５６」である。この場合最小値７３１ａは輝度設定値Ｂが最小値、即ち「０」のときの出力輝度レベルＦ、最大値７３２ａ及び最小値７３１ｂは輝度設定値Ｂが、通常の放送番組の映像情報の輝度設定値の最大値、即ち「２５５」のときの出力輝度レベルＦ、最大値７３２ｂは輝度設定値Ｂが最大値、即ち「５１１」のときの出力輝度レベルＦである。
曲線８５０の変換特性を用いる場合、輝度増強の対象となるピクセルのみならず、他のピクセルについても出力輝度レベルが変更される。
【００８５】
以上のように、輝度設定値、特に増強により拡張範囲における輝度設定値に対する出力輝度レベルＦの値は、ＨＤＲ変換特性情報により定義された変換特性によって求められる。
【００８６】
上記の例では、放送信号による映像の輝度が８ビットで表され、輝度加算値も８ビットで表されるものとしているが、輝度加算値を放送信号による映像の輝度のビット数（８ビット）とは異なるビット数で表されるものとしても良い。
【００８７】
また、上記の例では、放送信号による映像の輝度設定値Ｂが８ビットで表されるものとしたが、他のビット数、例えば、１０ビットでも、１２ビットで表されるものであっても、本実施の形態の技術は適用可能である。
【００８８】
次に、図９を参照して、実施の形態１のデジタル放送受信装置における放送番組の再生の手順を説明する。
まず放送番組をストリーム制御部１４でデマルチプレクスする際に、放送ストリーム解析制御部２５１は、放送ストリームを解析し、当該放送番組に関連する映像付加情報、ここではＨＤＲ変換のための情報が通信伝送路ＮＷから取得可能であるか、即ち放送通信連携サービスにより映像付加情報が提供されているか否かを判定する（Ｓ１０１）。
【００８９】
映像付加情報が取得可能ではない場合には、ステップＳ１０２に遷移して、放送番組を通常の画質で、即ち映像付加情報を用いずに再生する。
【００９０】
ステップＳ１０１にて、映像付加情報が取得可能であると判断した場合には、放送ストリーム解析制御部２５１は、メモリ部２６に記憶されている表示性能ポリシー２６１を参照し（Ｓ１０３）、放送ストリームに多重されている情報から、当該デジタル放送受信装置１０に適した映像付加情報を特定する。
【００９１】
例えば、表示性能ポリシー２６１を参照することで、当該デジタル放送受信装置１０の映像表示部２１がＨＤＲ表示を行えるものか否かを判断し、映像表示部２１がＨＤＲ表示を行えるものである場合には、映像付加情報を取得すべきものと判断する。但し、映像表示部２１が４Ｋ解像度までしか対応していなければ、４Ｋ解像度用の映像付加情報を取得すべきものと判断する。
一方、該デジタル放送受信装置１０の映像表示部２１がＨＤＲ表示を行えるものでない場合、或いは映像付加情報によるＨＤＲ表示で必要とされる解像度のものではない場合には、ステップＳ１０２に遷移する。
【００９２】
その後、放送ストリーム解析制御部２５１からの指示に応じて、ストリーム制御部１４は、通信伝送路ＮＷから映像付加情報を取得する（Ｓ１０４）。その際、放送番組全体の映像付加情報を取得しても良いし、現在視聴している番組の表示時刻以降の映像付加情報（現在視聴している番組のピクチャについての表示時刻情報６２０で表される表示時刻以降の表示時刻を示す表示時刻情報７２０を持つ輝度変換情報）を取得しても良い。このように構成することで、余分な情報を取得しないようにできるので、通信量を削減することができる。
【００９３】
なお、上記のように、放送番組の表示時刻以前の映像付加情報（現在視聴している番組のピクチャについての表示時刻情報６２０で表される表示時刻以前の表示時刻を示す表示時刻情報７２０を持つ輝度変換情報）を取得しないようにする場合に、デジタル放送受信装置１０の映像や通信のバッファリング時間だけ前の時刻情報から、或いは後続データが安定処理できるようにあらかじめ決められた余裕分だけ前の時刻情報から映像付加情報を取得しても良い。
【００９４】
このようにして映像付加情報を取得した後に、映像付加情報を、放送信号の映像情報に組み合わせて映像を再生し、視聴を行わせる（Ｓ１０５）。即ち、放送信号による映像の輝度設定値を、取得した映像付加情報に基づいて調整乃至増強し、増強後の輝度設定値に対応する出力輝度レベルを算出し、算出した出力輝度レベル（を示す信号）を映像表示部２１に送り、映像表示を行わせる。
【００９５】
図１０は、図９のステップＳ１０５の処理をより詳しく示す。
ここでは、放送信号による映像の各ピクセルの輝度設定値Ｂｂと、通信伝送路ＮＷから取得した映像付加情報に含まれる輝度変換情報とを組み合わせる場合を想定している。
【００９６】
まず映像デコーダ部１５で符号化圧縮された映像を復号化する（Ｓ２０１）。
その後、ＨＤＲ合成制御部２５２は、映像デコーダ部１５で復号化したピクチャに対するＰＴＳ（表示時刻）と同一のＰＴＳを持つ輝度変換情報７１０を特定する（Ｓ２０２）。
即ち、ＨＤＲ輝度変換部１５１は、復号化されたピクチャと同じＰＴＳを持つ輝度変換情報７１０からＨＤＲ変換特性情報７３０及びＨＤＲ差分データ７４０を抽出し、ＨＤＲ差分データ７４０から、ＨＤＲ変換による輝度の増強を必要とするピクセルの輝度加算値Ｄを抽出し、ＨＤＲ変換特性情報７３０で定義された変換特性に従って、放送信号による映像の輝度設定値Ｂｂと、抽出した輝度加算値Ｄとから出力輝度レベルＦを算出する。
【００９７】
具体的には、放送信号による映像の輝度設定値Ｂｂに対して、ＨＤＲ差分データ７４０から取得した輝度加算値Ｄを合算することで、増強された輝度設定値Ｂｅを求め（Ｓ２０３）、その後、ＨＤＲ変換特性情報７３０で定義された変換特性に従って、増強された輝度設定値Ｂｅから出力輝度レベルＦを算出する（Ｓ２０４）。
【００９８】
その後、ＨＤＲ輝度変換部１５１は、上記のようにして決定された出力輝度レベル（を示す情報）を映像表示部２１に供給する（Ｓ２０５）。映像表示部２１では、供給された出力輝度レベルで表示を行う。
【００９９】
以上の処理で用いるＨＤＲ差分データ７４０及びＨＤＲ変換特性情報７３０としては、一旦メモリ部２６に記憶させたものを読み出して利用する。
即ち、ＨＤＲ合成制御部２５２は、各ピクチャが映像デコーダ部１５の８Ｋデコーダ１５０で復号される際に、当該ピクチャと同じＰＴＳを持つ輝度変換情報７１０をメモリ部２６から読み出して、ストリーム制御部１４を介して映像デコーダ部１５のＨＤＲ輝度変換部１５１に供給する。このとき、各ピクチャの復号結果がＨＤＲ輝度変換部１５１に供給されるタイミングに合わせて、当該ピクチャと同じＰＴＳを持つ輝度変換情報７１０がＨＤＲ輝度変換部１５１に供給されるようにする。
【０１００】
なお、図７（ａ）〜（ｄ）の例では、ピクチャ毎にＨＤＲ変換特性情報７３０が送信されるが、このことは必ずしもピクチャ毎にＨＤＲ変換特性情報７３０の内容が変わることを意味せず、例えば一つの番組では最初から終わりまで同じ内容であっても良く、シーンの切り替わりなどでのみ内容が変わるようにしても良い。また、ピクチャ毎にＨＤＲ変換特性情報を送信しなくても、一つの番組の最初にのみ、或いはシーンの切り替わりにのみＨＤＲ変換特性情報７３０を送信するようにしても良い。さらにＧＯＰ毎に、例えばＧＯＰの先頭でのみ、ＨＤＲ変換特性情報７３０を送信するようにしても良い。
【０１０１】
また、通信伝送路ＮＷから取得した輝度変換情報に含まれるＨＤＲ変換特性情報で定義される変換特性を、視聴者に合わせて、例えば操作部２７の操作により修正した上で、適用しても良い。
さらに、映像付加情報の一部として取得したＨＤＲ変換特性情報を利用せずに、デジタル放送受信装置１０に予め設定されているＨＤＲ変換特性情報を用いて変換を行っても良い。
さらにまた、複数のＨＤＲ変換特性情報をメモリ部２６に記憶させておき、映像付加情報に応じて、そのいずれかを選択して用いるようにしても良い。この場合の映像付加情報は、複数のＨＤＲ変換特性情報のうちのどれを選択すべきかを示す情報、例えば選択すべきＨＤＲ変換特性情報を識別する情報を含む。
また上記の例では、ＨＤＲ変換特性情報は、変換特性曲線を表す定数及び係数乃至演算式を規定するものであるが、代わりに、増強された輝度設定値を入力として出力輝度レベルを出力する変換テーブル（ＬＵＴ）を規定するものであっても良い。
【０１０２】
上記の実施の形態１のように構成すれば、放送信号との再生互換性を保持しつつ、即ち、映像表示部がＨＤＲ表示を行うことができないデジタル放送受信装置では、ＨＤＲ変換を行うことなく、従来通り、放送番組を通常の画質で視聴することを可能にしつつ、映像表示部がＨＤＲ表示を行うことができるデジタル放送受信装置では、通信伝送路ＮＷから映像付加情報を取得し、更に画質が改善された映像を視聴させることが可能になる。
【０１０３】
また、輝度変換情報が、輝度設定値及び輝度加算値から、出力輝度レベルを求めるための変換特性情報を持つので、少ない情報量（限られた範囲）で、表示輝度のダイナミックレンジが広い、高画質の映像の視聴が可能になる。
【０１０４】
なお、上記の実施の形態では、各番組について映像付加情報の取得が可能か否かを示す情報は、当該番組の放送ストリーム中に含まれている場合を想定しているが、各番組について映像付加情報の取得が可能か否かを示す情報を、当該番組の放送開始前に、例えば別の番組の放送ストリームから取得できるようにしておいても良い。その場合には、上記各番組の放送開始前に映像付加情報を取得し、例えばメモリ部２６に保持しておくことができるので、番組の冒頭から、確実に且つ速やかに映像付加情報を利用した映像の画質調整（輝度ダイナミックレンジの拡張）を行うことができる。
【０１０５】
実施の形態２．
図１１は本発明の実施の形態２のデジタル放送受信装置１０ｂを構成の概略を示す。図１１で図１と同じ符号は同様のものを示す。
図１１のデジタル放送受信装置１０ｂは、図１のデジタル放送受信装置１０と概して同じであるが、図１のデコーダブロック１１の代わりにデコーダブロック１１ｂを備え、図１のシステム制御部２５の代わりにシステム制御部２５ｂを備える点で異なる。図１１のデコーダブロック１１ｂは、図１のデコーダブロック１１と概して同じであるが、図１のストリーム制御部１４の代わりにストリーム制御部１４ｂを備え、図１の映像デコーダ部１５の代わりに映像デコーダ部１５ｂを備える。
【０１０６】
図１の映像デコーダ部１５は、１つの８Ｋ解像度対応デコーダ（８Ｋデコーダ）１５０と１つのＨＤＲ輝度変換部１５１とを有するが、図１１の映像デコーダ部１５ｂは、４つの４Ｋ解像度対応デコーダ（４Ｋデコーダ）１５０１〜１５０４と、４つのＨＤＲ輝度変換部１５１１〜１５１４とを有する。４Ｋデコーダ１５０１〜１５０４の各々は、最大４Ｋ解像度までの映像情報を復号化できるデコーダであり、それぞれ、映像表示部２１の表示画面を４つの同じ大きさの領域に分割した領域で表示される映像の映像情報を復号する。
【０１０７】
図１１のシステム制御部２５ｂは、放送ストリーム解析制御部２５１及びＨＤＲ合成制御部２５２に加え、ストリーム合成制御部２５３を有する。
【０１０８】
放送ストリーム解析制御部２５１が、放送伝送路ＢＤから受信した放送ストリームを解析し、該放送ストリームが８Ｋ映像を表すものであると判断すると、その判断結果をストリーム合成制御部２５３に伝え、ストリーム合成制御部２５３はこれに応じて、ストリーム変換部１４２に、８Ｋ映像の符号化映像データを４つの部分（それぞれ映像表示部２１の、上記の４つの領域で表示される部分）に分割するよう指示する。
【０１０９】
ストリーム変換部１４２は、この指示に応じて、８Ｋ映像の映像データを４つの部分（それぞれ映像表示部２１の、上記の４つの領域で表示される部分）に分割し、ストリームを変換乃至再構築する。
【０１１０】
この再構築に当たり、デジタルストリームに含まれる映像情報を、映像属性情報と映像データとに分離し、映像データを、表示画面の分割した領域で表示される映像を表す映像データ（映像データ部分）に分割し、映像属性情報に映像付加情報を連結して、分割された映像データと組み合わせる。
組合せにより生成されたストリームはそれぞれ対応する４Ｋデコーダ１５０１〜１５０４に供給される。
【０１１１】
ＨＤＲ輝度変換部１５１１〜１５１４はそれぞれ４Ｋデコーダ１５０１〜１５０４に対応して設けられており、各々図１のＨＤＲ輝度変換部１５１と同様に、映像付加情報（輝度変換情報）を用いた変換（放送信号による輝度設定値と、輝度変換情報に含まれる輝度加算値及び変換特性情報から出力輝度レベルを生成する処理）を行う。
【０１１２】
メモリ部２６に記憶されている表示性能ポリシー２６１は、実施の形態１に関し図４を参照して説明したのと同様のものであるが、さらに、映像デコーダ部が４台の４Ｋデコーダで構成されていることを示す情報を含む。
【０１１３】
以下、ストリーム変換部１４２の処理を、図１２（ａ）〜（ｃ）を参照して説明する。
図１２（ａ）は、ストリーム変換部１１３０、４Ｋデコーダ１５０１〜１５０４、及び映像表示部２１間でのデータの流れを示す。
ストリーム変換部１４２に入力される放送ストリームは、チューナー部１２から出力されたものである。
【０１１４】
ストリーム変換部１４２に入力される映像付加情報に含まれる輝度変換情報の各々は、ネットワークインターフェース部１３で取得され、一旦メモリ部２６に記憶された後、該輝度変換情報に含まれる表示時刻情報７２０と同じ表示時刻を示す表示時刻情報６２０を持つピクチャの符号化映像データが映像デコーダ部１５ｂでデコードされるタイミングに合わせて映像デコーダ部１５ｂに供給されたものである。
【０１１５】
チューナー部１２から出力される放送ストリームのＩピクチャ部分１２００は、図１２（ｂ）に示すように、ストリーム内の符号化映像データ１２１０が、４つのスライスデータ部分１２１１〜１２１４に分割可能である。これらのスライスデータは、映像表示部２１の画面領域を４分割したそれぞれの領域２１０１〜２１０４に表示すべき映像を表すデータである。
【０１１６】
なおここでは、４つの領域２１０１〜２１０４は、映像表示部２１の画面領域を縦方向に４分割した領域であるものとして説明するが、横方向に４分割した領域であっても良く、縦方向及び横方向にそれぞれ２分割することで形成された４つの領域であっても良い。
【０１１７】
ストリーム変換部１４２は、図１２（ｂ）に示される放送ストリームのＩピクチャ部分１２００を表示時刻情報６２０及び映像属性情報６３０と、符号化映像データ１２１０とに分割する。そして符号化映像データ１２１０を、上記した４つのスライスデータ１２１１〜１２１４に分割する。
その後、４Ｋデコーダ１５０１〜１５０４へ入力されるストリーム１２２１〜１２２４（図１２（ｃ））を作成する。
【０１１８】
各ピクチャのストリーム１２２１〜１２２４の各々を作成するに当たり、表示時刻情報６２０及び映像属性情報６３０を複製して、ストリーム１２２１〜１２２４の各々の一部として組み込むとともに、メモリ部２６から読み出された映像付加情報で構成されるＳＥＩ７００のうちの、当該表示時刻情報６２０と同じ表示時刻を表す表示時刻情報７２０を映像属性情報６３０に連結し、新たな映像属性情報６３０ｂを形成し、該映像属性情報６３０ｂに続いて、スライス１２１１〜１２１４のうちの対応するものを連結する。
以上Ｉピクチャについて説明したが、Ｐピクチャ及びＢピクチャも同様に処理される。
【０１１９】
上記のように、映像デコーダ部１５ｂとして、４Ｋデコーダで構成されたものを用いることで、現在民生用途として普及していない８Ｋデコーダを用いることなく、比較的安価な４Ｋデコーダを用いて８Ｋ映像の表示を行うことができる。
【０１２０】
４Ｋデコーダ１５０１〜１５０４では、それぞれ供給されたスライスの符号化映像データ１２１１〜１２１４を復号し、復号結果に対して、対応するＨＤＲ輝度変換部１５１１〜１５１４で出力輝度レベルへの変換を行い、変換の結果得られる出力輝度レベル１２３１〜１２３４が映像表示部２１に、それぞれの領域２１０１〜２１０４での表示のために、出力される。図１２（ａ）には、簡単のため、ＨＤＲ輝度変換部１５１１〜１５１４が省略され、出力輝度レベル１２３１〜１２３４が４Ｋデコーダ１５０１〜１５０４から出力されるものとして図示されている。
【０１２１】
上記のように、ストリーム変換部１４２は、映像ストリームに映像付加情報を付加して、４Ｋデコーダ１５０１〜１５０４に供給しているので、４Ｋデコーダ１５０１〜１５０４内に放送信号による映像情報と、映像付加情報の再生を同期させるための回路を設ける必要がなく、デコーダの回路規模を小さく構成できる。
【０１２２】
次に、図１３を参照して実施の形態２における映像付加情報の取得及び映像ストリーム変換の手順を説明する。
システム制御部２５ｂの放送ストリーム解析制御部２５１は、表示性能ポリシー２６１を読み込んで、映像デコーダ部１５ｂを構成する映像デコーダが処理可能な解像度を示す情報を取得する（Ｓ３０１）。
本実施の形態では、表示性能ポリシー２６１から、「映像デコーダ部が４台の４Ｋデコーダで構成」されているとの判断がされる。
【０１２３】
その後、放送ストリーム解析制御部２５１は、視聴している放送番組が８Ｋ映像のデータを含むものか否かを判定する（Ｓ３０２）。８Ｋ映像のデータを含むものであると判断した場合には、ステップＳ３０３に遷移し、放送ストリーム解析制御部２５１は、放送ストリームを解析して、当該放送番組に対する映像付加情報が通信伝送路ＮＷに存在するか(通信伝送路ＮＷから取得可能か）否かを判定する。
【０１２４】
映像付加情報が存在する場合、ステップＳ３０４に遷移し、映像付加情報を取得してメモリ部２６に記憶させる。
その後、ステップＳ３０５に遷移し、ストリーム合成制御部２５３が、ストリーム変換部１４２にストリームの変換乃至再構成を指示する。
ストリーム変換部１４２は、ストリーム合成制御部２５３からの指示に基づいてストリームの再構成を行う。
【０１２５】
各ピクチャのストリームの再構成においては、ストリーム変換部１４２は、放送ストリームの表示時刻情報６２０及び映像属性情報６３０（図１２（ｂ））を抽出し、抽出した映像属性情報６３０に、映像付加情報で構成されるＳＥＩ７００のうちの、当該表示時刻情報６２０と同じ表示時刻を表す表示時刻情報７２０を組合せることで映像属性情報を再構成する（Ｓ３０５）。再構成された映像属性情報を符号６３０ｂで表す。
【０１２６】
その後、符号化映像データ１２１０からそれぞれ４つの画面領域２１０１〜２１０４に対応する第１〜第４のスライス（スライス＃１〜＃４）１２１１〜１２１４を抽出する（Ｓ３０６）。
その後、表示時刻情報６２０、及び上記のように再構成された映像属性情報６３０ｂとスライス１２１１〜１２１４の各々とを組合せ（Ｓ３０７）、組合せの結果得られたストリームを各々４Ｋデコーダ１５０１〜１５０４の対応するものに入力する（Ｓ３０８）。
【０１２７】
４Ｋデコーダ１５０１〜１５０４では、スライス１２１１〜１２１４を復号化し、それぞれの復号結果に対して、対応するＨＤＲ輝度変換部１５１１〜１５１４が、映像属性情報に含まれるＳＥＩ（映像付加情報）を用いて、ＨＤＲ変換を行って出力輝度レベルを生成する。
【０１２８】
ステップＳ３０３にて、当該放送番組に関連する映像付加情報が通信伝送路ＮＷから取得できないと判断されると、映像属性情報６３０を抽出し（Ｓ３０９）、それ以降ステップＳ３０６〜Ｓ３０８の処理を行う。但し、この場合、ステップＳ３０７においては、再構成された映像属性情報６３０ｂの代わりに元の映像属性情報６３０を用いる。
ステップＳ３０５〜Ｓ３０９の処理は、ピクチャ毎に行われる。
【０１２９】
ステップＳ３０２にて、８Ｋ映像のデータを含むものではないと判断すると、ステップＳ３１０に遷移する。この場合、放送番組は４Ｋ解像度以下であるので１台の４Ｋデコーダだけで対応できる。そのため４Ｋデコーダのうちの１台（例えば、４Ｋデコーダ１５０１）を選択して固定化する。それ以降の処理Ｓ３１１〜Ｓ３１６は、それぞれ処理Ｓ３０４〜Ｓ３０９と同様である。但し、ステップＳ３０６における映像データの分割は行われず、４Ｋデコーダのうちの１台だけで処理が行われる。
【０１３０】
なお、上記の例では、映像属性情報及び映像付加情報が各ピクチャの映像情報に付加されているものとしているが、映像属性情報は、ＧＯＰ毎に、例えば各ＧＯＰの先頭のＩピクチャにのみ付加されていても良く、さらに複数のＧＯＰから成るシーケンス毎に付加されていても良い。この場合、４Ｋデコーダ１５０１〜１５０４への映像属性情報の供給はＧＯＰ又はシーケンス毎に行われる。
同様に、映像付加情報のうちのＨＤＲ変換特性情報は、ＧＯＰ毎に、例えば各ＧＯＰの先頭のＩピクチャにのみ付加されていても良く、さらに複数のＧＯＰから成るシーケンス毎に付加されていても良い。この場合、ＨＤＲ輝度変換部１５１１〜１５１４へのＨＤＲ変換特性情報の供給はＧＯＰ又はシーケンス毎に行われる。
【０１３１】
また、実施の形態１に関して記載したように、通信伝送路ＮＷから取得した映像付加情報に含まれるＨＤＲ変換特性情報で定義される変換特性を、視聴者に合わせて、例えば操作部２７の操作により修正した上で、適用しても良い。
さらに、映像付加情報の一部として取得したＨＤＲ変換特性情報を利用せずに、デジタル放送受信装置１０に予め設定されているＨＤＲ変換特性情報を用いて変換を行っても良い。
さらにまた、複数のＨＤＲ変換特性情報をメモリ部２６に記憶させておき、映像付加情報に応じて、そのいずれかを選択して用いるようにしても良い。この場合の映像付加情報は、複数のＨＤＲ変換特性情報のうちのどれを選択すべきかを示す情報、例えば選択すべきＨＤＲ変換特性情報を識別する情報を含む。
また上記の例では、ＨＤＲ変換特性情報は、変換特性曲線を表す定数及び係数、乃至演算式を規定するものであるが、代わりに、増強された輝度設定値を入力として出力輝度レベルを出力する変換テーブル（ＬＵＴ）を規定するものであっても良い。
【０１３２】
実施の形態２のように構成すれば、現在民生用途として普及していない８Ｋデコーダを用いることなく、比較的安価な４Ｋデコーダを用いて８Ｋ映像の表示を実現することができる。また映像ストリームに映像付加情報を組合せて、４Ｋデコーダに供給しているため、デコーダ内に放送映像と映像付加情報の時刻同期のための回路が不要となり、回路規模を小さく構成できるといった効果がある。
【０１３３】
以上、表示画面を４つに分割した領域で表示される映像の映像情報を４つの４Ｋデコーダで復号する場合について説明したが、分割する領域の数は４に限定されず、また映像デコーダは４Ｋデコーダに限定されない。一般化して言えば、本実施の形態の技術は、表示画面が複数個に分割した領域で表示される映像の映像情報をそれぞれ別個の映像デコーダで復号する場合に適用可能である。その場合、ストリーム制御部１４ｂが、デジタルストリームに含まれる映像情報を、表示時刻情報及び映像属性情報と符号化映像データとに分離し、符号化映像データを、表示画面を分割した領域で表示される映像を表す、即ち該分割した領域に対応する符号化映像データ（符号化映像データ部分）に分割し、映像属性情報に映像付加情報を連結して、分割された符号化映像データと組み合わせ、該組合せにより生成されたストリームをそれぞれ対応する映像デコーダに供給することとすれば良い。
【０１３４】
なお、実施の形態１と同様に、符号化映像ストリームと映像付加情報とを別個に、同期して映像デコーダ部１５ｂに供給することとしても良い。逆に、実施の形態１でも、実施の形態２と同様に、符号化映像ストリームに映像付加情報を組合せて、映像デコーダ部１５に供給することとしても良い。
【０１３５】
実施の形態３．
図１４は本発明の実施の形態３のデジタル放送受信装置１０ｃの構成の概略を示す。図１４で図１と同じ符号は同様のものを示す。
図１４のデジタル放送受信装置１０ｃは、図１のデジタル放送受信装置１０と概して同じであるが、図１のデコーダブロック１１の代わりにデコーダブロック１１ｃを備え、図１のシステム制御部２５の代わりにシステム制御部２５ｃを備える点で異なる。また、図１の映像表示部２１及び音声出力部２２の代わりに情報入出力部１７を備え、該情報入出力部１７が、デジタル放送受信装置１０ｃの外部の映像表示部２１ｃ及び音声出力部２２ｃと接続されており、この点でも、図１４のデジタル放送受信装置１０ｃは、図１のデジタル放送受信装置１０と異なる。図１４のデコーダブロック１１ｃは、図１のデコーダブロック１１と概して同じであるが、図１の映像デコーダ部１５の代わりに映像デコーダ部１５ｃを備える。
【０１３６】
また、実施の形態１では、映像付加情報が輝度変換情報を含むものであるが、本実施の形態３では、映像付加情報が色変換情報を含む。色変換情報は、放送信号による映像の色空間（色域）と、映像表示部２１ｃの色域とが異なる場合に、放送信号による映像に対し、映像表示部２１ｃの色域に合致させるように、コンテンツ作成者の意図を反映した色変換（色域変換）を行うためのものである。
【０１３７】
情報入出力部１７は、映像表示部２１ｃに、ＨＤＭＩ（登録商標）ケーブルで接続されており、映像デコーダ部１５ｃから出力される映像信号を映像表示部２１ｃに伝え、映像デコーダ部１５ｃから出力される音声信号を音声出力部２２ｃに伝える。
【０１３８】
情報入出力部１７はまた、映像表示部２１ｃから、表示性能ポリシーを取得する。映像表示部２１ｃの表示性能ポリシーは対応色空間４１２が「ＢＴ．７０９」である点を除き、実施の形態１に関し、図４を参照して説明したのと同じであるものとする。取得された表示性能ポリシーは、メモリ部２６に記憶される。メモリ部２６に記憶された表示性能ポリシーを符号２６１で示す。
【０１３９】
図１４の映像デコーダ部１５ｃは、図１のＨＤＲ輝度変換部１５１の代わりに色変換部１５３を有する。色変換部１５３は、映像付加情報として得られた色変換情報に基づいて、色変換を行う。
【０１４０】
図１４のシステム制御部２５ｃは、図１のＨＤＲ合成制御部２５２の代わりに色変換制御部２５４を有する。色変換制御部２５４は、色変換部１５３における色変換を制御する。
【０１４１】
以下では、映像表示部２１ｃの表示色域がＢＴ．７０９、放送信号による映像の色域がＢＴ．２０２０であるものとする。
【０１４２】
放送ストリーム解析制御部２５１は、実施の形態１と同様に、ストリーム制御部１４で放送ストリームをデマルチプレクスする際に、放送ストリーム、特に放送番組のデータに多重されている他の情報を解析して、当該放送番組に関連する映像付加情報が通信伝送路ＮＷを通じて取得可能か否かを判定し、映像付加情報が取得可能であれば、ネットワークインターフェース部１３に映像付加情報を取得させる。なお、映像付加情報が取得可能か否かの判定とともに、当該映像付加情報による画質調整が、映像表示部２１ｃに適用可能か否かの判断をも併せて行うこととしても良い。この判断には、メモリ部２６に記憶されている表示性能ポリシー２６１を参照する。
【０１４３】
ネットワークインターフェース部１３で取得された映像付加情報は、ストリーム制御部１４を介してシステム制御部２５ｃに送られ、メモリ部２６に格納される。格納された映像付加情報を符号２６２ｃで示す。
【０１４４】
本例では、色域をＢＴ．２０２０からＢＴ．７０９に変換するための映像付加情報が取得され、メモリ部２６に格納される。
【０１４５】
色変換制御部２５４は、当該放送番組の映像情報で表される映像を再生する際に、映像デコーダ部１５ｃの色変換部１５３に、メモリ部２６に記憶された映像付加情報２６２ｃに基づく色変換（色域変換）を行わせる。この場合、色変換部１５３は、色変換特性情報に基づいて、放送信号の映像情報で表される映像に対する色変換を行い、該色変換により得られた映像を表す映像データを映像表示部２１ｃに供給し、映像表示部２１ｃは色変換により得られた映像を表示する。
【０１４６】
図１５は、表示可能な色域についての説明図である。同図はＸＹＺ色空間を図示したものである。ＸＹ座標で色が決定され、従来のＢＴ．７０９色域ＧＭ１と比較して、ＢＴ．２０２０色域ＧＭ２ＧＭ２の方が広く、ＢＴ．２０２０の方が、ＢＴ７０９と比較して表現できる色の範囲（色域）が広いことが示されている。
【０１４７】
放送番組の映像の色域がＢＴ．２０２０の色域であるのに対して、映像表示部２１ｃの対応色域がＢＴ．７０９である場合に、同図中の斜線部分の色を表現することができないという問題がある。従来のデジタル放送受信装置では、その内部で保持している色変換特性情報を用いて、ＢＴ．２０２０からＢＴ．７０９に色変換（色域変換）を行った後、映像表示を行っている。
【０１４８】
色変換の方法としては、斜線部分の色表現時に一番近い色を採用する方法と、全体的に色域を狭めて表現する方法の２種類が代表的である。前者の方法では斜線部分の色が飽和し当該領域に対するグラデーション表現ができないし、後者の方法では全体的にくすんだ色しか表現できないといった問題がある。
【０１４９】
従来のデジタル放送受信装置では、色変換特性情報はデジタル放送受信装置の設計の際に独自に決定され、或いは、デジタル放送受信装置の使用に当たり、ユーザの好みで調整されることになるが、コンテンツ制作者の意図に反した色変換をしてしまう可能性がある。
これに対して本実施の形態では、通信伝送路ＮＷから制作者の意図を反映した映像付加情報を取得し、当該情報に基づいて色変換を行うこととしている。
【０１５０】
図１６（ａ）及び（ｂ）は、実施の形態３で用いられる映像付加情報のデータ構造を示す。図示の映像付加情報もＳＥＩ１５００として用いられるものであり、図１６（ａ）に示すように、各番組を構成する、時系列をなす複数のピクチャに対応して用意された複数の色変換情報１５１０から成り、各ピクチャの色変換情報１５１０は、図１６（ｂ）に示すように、表示時刻情報７２０と、色変換特性情報１５３０とを持つ。
【０１５１】
表示時刻情報７２０は、該表示時刻情報７２０を含む色変換情報１５１０の再生時刻、従って、該色変換情報１５１０を用いた画質調整の対象となるピクチャの表示時刻を表す。
色変換特性情報１５３０は、放送信号による映像の各ピクセルのピクセル値（例えば、それぞれの色成分を表す値）から、映像表示部に供給される表示ピクセル値を求めるための変換特性を示す情報（マッピング情報）である。色変換特性情報１５３０は、例えば、色変換のための演算式を規定するものである。
【０１５２】
色変換情報１５１０は、通信伝送路ＮＷから取得されると一旦メモリ部２６に記憶され、その後に表示時刻情報７２０と同じ表示時刻を示す表示時刻情報６２０を持つピクチャの符号化映像データが映像デコーダ部１５ｃでデコードされるタイミングに合わせて映像デコーダ部１５ｃに供給され、色変換情報１５１０に含まれる色変換特性情報１５３０が色変換部１５３で利用される。
【０１５３】
なお、図１６の例では、ピクチャ毎に色変換情報１５１０が送信されるが、このことは必ずしもピクチャ毎に色変換情報１５１０の内容が変わることを意味せず、例えば一つの番組では最初から終わりまで同じ内容であっても良く、シーンの切り替わりなどでのみ内容が変わるようにしても良い。また、ピクチャ毎に色変換情報１５１０を送信しなくても、一つの番組の最初にのみ、或いはシーンの切り替わりにのみ色変換情報１５１０を送信するようにしても良い。さらにＧＯＰ毎に、例えばＧＯＰの先頭でのみ、色変換情報１５１０を送信するようにしても良い。
【０１５４】
また、通信伝送路ＮＷから取得した映像付加情報に含まれる色変換特性情報で定義される変換特性を、視聴者に合わせて、例えば操作部２７の操作により修正した上で、適用しても良い。
また、映像付加情報の一部として取得した色変換特性情報を利用せずに、デジタル放送受信装置１０ｃに予め設定されている色変換特性情報を用いて変換を行っても良い。
さらにまた、複数の色変換特性情報をメモリ部１２０に記憶させておき、映像付加情報に応じて、そのいずれかを選択して用いるようにしても良い。この場合の映像付加情報は、複数の色変換特性情報のうちのどれを選択すべきかを示す情報、例えば選択すべき色変換特性情報を識別する情報を含む。
また上記の例では、色変換特性情報は、変換特性を表す演算式を規定するものであるが、代わりに、放送信号による映像のピクセル値（例えば、それぞれの色成分を表すピクセル値の組合せ）を入力として、映像表示部２１ｃに与えるピクセル値（例えば、それぞれの色成分を表すピクセル値の組合せ）を出力する変換テーブル（ＬＵＴ）を規定するものであっても良い。
【０１５５】
以上、映像表示部２１ｃの表示色域がＢＴ．７０９である場合を想定して説明したが、映像表示部２１ｃの表示色域は上記の例に限らない。また、映像表示部２１ｃの表示色域がデジタル放送受信装置毎に異なる場合がある。その場合、映像付加情報として、複数の色域（規格）にそれぞれ対応する色変換特性情報を含むものを提供して取得可能にし、各デジタル放送受信装置で、映像表示部２１ｃの色域への変換を行うための色変換特性情報を選択して取得することとすれば良い。その色変換においても色変換部１５３は、映像表示部２１ｃの色域を示す情報に基づいて複数の色変換特性情報のうちの一つを選択し、選択した色変換特性情報に基づいて、放送信号の映像情報で表される映像に対する色変換を行い、該色変換により得られた映像を表す映像データを映像表示部２１ｃに出力し、映像表示部２１ｃが、色変換により得られた映像を表示することとすれば良い。
【０１５６】
以上、映像表示部がデジタル放送受信装置の外部に設けられ、デジタル放送受信装置の情報入出力部１７により、映像信号を供給する場合について説明したが、映像表示部がデジタル放送受信装置の内部に設けられている場合にも、実施の形態３の技術を適用することができる。
逆に、実施の形態１及び２の技術は、映像表示部がデジタル放送受信装置の外部に設けられている場合にも適用可能である。
【０１５７】
実施の形態３のように構成すれば、映像表示部２１ｃの表示性能ポリシー２６１を取得し、表示性能に適した色変換情報１５１０を通信伝送路ＮＷから取得することによって、適切な映像の色変換を行うことができる。また制作者の意図を反映した高画質の映像を表示することができるといった効果がある。
【０１５８】
以上実施の形態１及び２では輝度の範囲を拡張する場合を説明し、実施の形態３では色域の変更のための色変換を行う場合について説明したが、本発明は、これに限らず、上記以外の方法で映像の画質調整を行う場合にも適用可能である。
【０１５９】
この場合、実施の形態１及び２のように、映像付加情報として、ピクセル毎の加算値を表す情報と、変換特性情報とを含むものを用いても良く、実施の形態３のように、変換特性情報のみを持つものを用いても良い。前者の場合には、放送番組の映像のピクセル値と同じピクセルについての加算値との和から、変換特性情報で表される変換特性に従って変換し、映像表示部における出力ピクセル値（表示ピクセル値）を求める。後者の場合には、放送番組の映像のピクセル値を、変換特性情報で表される変換特性に従って変換し、映像表示部における出力ピクセル値（表示ピクセル値）を求める。
【０１６０】
以上本発明をデジタル放送受信装置として説明したが、上記のデジタル放送受信装置で実施されるデジタル放送受信方法もまた本発明の一部を成す。また、上記のデジタル放送受信装置を構成する要素の少なくとも一部、又は上記のデジタル放送受信方法を構成する処理ステップの少なくとも一部はソフトウェアで、即ちプログラムされたコンピュータで実現することができる。従って、上記のデジタル放送受信装置を構成する要素の少なくとも一部、又は上記のデジタル放送受信方法を構成する処理ステップをコンピュータに実行させるためのプログラム、及び該プログラムを記録したコンピュータで読み取り可能な記録媒体もまた本発明の一部を成す。
【符号の説明】
【０１６１】
１０、１０ｂ、１０ｃ  デジタル放送受信装置、  １１、１１ｂ、１１ｃ  デコーダブロック、  １２  チューナー部、  １３  ネットワークインターフェース部、  １４、１４ｂ  ストリーム制御部、  １５、１５ｂ、１５ｃ  映像デコーダ部、  １６  音声デコーダ部、  １７  情報入出力部、  ２１、２１ｃ  映像表示部、  ２２、２２ｃ  音声出力部、  ２５、２５ｂ、２５ｃ  システム制御部、  ２６  メモリ部、  ２７  操作部、  １４２  ストリーム変換部、  １５０  ８Ｋデコーダ、  １５１  ＨＤＲ輝度変換部、  １５３  色変換部、  ２５１  放送ストリーム解析制御部、  ２５２  ＨＤＲ合成制御部、  ２５３  ストリーム合成制御部、  ２５４  色変換制御部、  ２６１  表示性能ポリシー、  ２６２、２６２ｃ  映像付加情報、  ３０１  ２Ｋ放送、  ３０２  ４Ｋ放送、  ３０３  ８Ｋ放送、  ３５０  ＨＤＲ画面例、  ４０１  表示性能項目、  ４０２  表示性能設定値、  ４１０  表示可能解像度（ビデオ）、  ４１１  ＨＤＲ対応有無、  ４１２  対応色空間、  ４１３  輝度深度、  ４１４  表示可能解像度（字幕）、  ５００  物理チャンネル、  ５０１  映像アセット、  ５０２  第１の音声アセット（音声＃１アセット）、  ５０３  第１の字幕アセット（字幕＃１アセット）、  ５０４  第２の字幕アセット（字幕＃２アセット）、  ５１０  ＩＰデータフロー、  ５１１  映像付加情報アセット、  ５１２  第２の音声アセット（音声＃２アセット）、  ５２０  イベント（番組）、  ６００  映像ストリーム、  ６０１  ＧＯＰ、  ６１０  Ｉピクチャ、  ６１１  Ｐピクチャ、  ６１２  Ｂピクチャ、  ６２０  表示時刻情報、  ６３０、  ６３０ｂ  映像属性情報、  ６３１  ＡＵＤ、  ６３２  ＳＰＳ、  ６３３  ＰＰＳ、  ６４０  符号化映像データ、  ６４１  スライス、  ７００  映像付加情報（ＳＥＩ）、  ７１０  輝度変換情報、  ７２０  表示時刻情報、  ７３０  ＨＤＲ変換特性情報、  ７３１、７３１ａ、７３１ｂ  最小値、  ７３２、７３２ａ、７３２ｂ  最大値、  ７３３、７３３ａ、７３３ｂ  傾斜係数、  ７４０  ＨＤＲ差分データ、  ７４１  Ｎｕｍ＿Ｏｆ＿Ｓａｍｐｌｅｓ、  ７４２  ＨＤＲ＿Ｘ座標、  ７４３  ＨＤＲ＿Ｙ座標、  ７４４  輝度加算値、  ８１０  通常区間の変換特性曲線、  ８１１  通常区間傾斜係数、  ８２０  拡張区間の変換特性曲線、  ８２１  拡張区間傾斜係数、  ８２５、８３０、８４０、８５０  拡張区間の変換特性曲線、  １２００  放送ストリーム（Ｉピクチャ）、  １２１０  符号化映像データ、  １２１１〜１２１４  スライス、  １２２１〜１２２４  ４Ｋデコーダへ入力されるストリーム、  １５００  映像付加情報（ＳＥＩ）、  １５０１〜１５０４  ４Ｋデコーダ、  １５１１〜１５１４  ＨＤＲ輝度変換部、  １５１０  色変換情報、  １５３０  色変換特性情報、  Ｂ  輝度設定値、  Ｆ  出力輝度レベル、  ＢＲ  通常区間、  ＥＲ  拡張区間、  ＧＭ１  ＢＴ．７０９色域、  ＧＭ２  ＢＴ．２０２０色域。
【図１】
0006355521.tif 000002
【図２】
0006355521.tif 000003
【図３】
0006355521.tif 000004
【図４】
0006355521.tif 000005
【図５】
0006355521.tif 000006
【図６】
0006355521.tif 000007
【図７】
0006355521.tif 000008
【図８】
0006355521.tif 000009
【図９】
0006355521.tif 000010
【図１０】
0006355521.tif 000011
【図１１】
0006355521.tif 000012
【図１２】
0006355521.tif 000013
【図１３】
0006355521.tif 000014
【図１４】
0006355521.tif 000015
【図１５】
0006355521.tif 000016
【図１６】
0006355521.tif 000017